(57)【要約】  【課題】  簡易な構成で従来よりも消費電力を低減することができるディスク記録装置を提供する。  【解決手段】  ディスク記録装置の磁気ヘッド支持機構において、ヘッドアングル６は一端をヘッドアーム５を介して磁気ヘッド４と一体化され、ピック連結アングル８は一端を光ピックアップに固定され、ヒンジ７の第１弾性部材７ｃ、７ｄはヘッドアングル６とピック連結アングル８とを遊嵌した状態で連結し、ヒンジ７の第２弾性部材７ｅはヘッドアングル６の突起部６ｇをＹ２側へ押圧し、ヘッドアングル６の係合部６ｃ、６ｄのＹ２側下端をピック連結アングル８の係合面８ｄに当接させる。係合部６ｃ、６ｄと係合面８ｄの当接部分を含む回転軸周りに、ヘッドアングル６はＡ１−Ａ２方向に回動する。【選択図】      図３
2006221716.tif 000002
【特許請求の範囲】
【請求項１】
対物レンズを有しディスクに前記対物レンズから光ビームを照射する光ピックアップと、前記対物レンズと前記ディスクを挟み略対向し前記ディスクに磁場を与える磁気ヘッドとを備えるディスク記録装置において、
前記光ピックアップと一体化され、前記ディスクの外径端面に対向する第一の片を有する第一の部材と、
前記磁気ヘッドと一体化され、前記ディスクの外径端面に対向する第二の片を有する第二の部材と、
弾性体を有し前記第一の部材と前記第二の部材とを接続する接続手段と、
前記第一の片と前記第二の片とを当接させるように前記第二の部材を押圧する押圧手段とを備え、
前記磁気ヘッドが前記ディスクの記録面の略垂直方向成分を含む方向に変位するように、前記第二の部材は前記第一の部材との当接部分を含む回転軸周りに回動することを特徴とするディスク記録装置。
【請求項２】
前記第二の部材の回転軸となる前記第一の部材と前記第二の部材の当接部分は、前記押圧手段が押圧する被押圧部の両サイド部に配置されることを特徴とする請求項１に記載のディスク記録装置
【請求項３】
前記押圧手段が被押圧部に加える押圧力の略作用線上に、前記第二の部材の回転軸が位置するように構成されていることを特徴とする請求項１または請求項２に記載のディスク記録装置。
【請求項４】
前記第一の部材に対する前記第二の部材の移動を規制する移動規制手段を備えることを特徴とする請求項１〜請求項３に記載のディスク記録装置。
【請求項５】
前記第二の部材は、前記第二の片から前記ディスク側に突出し、前記押圧手段が押圧する被押圧部を有する第三の片と、該第三の片から突出する突出片とを有し、
前記第一の部材は、前記第三の片が遊嵌される孔を前記第一の片に有し、
前記突出片は、前記第一の片を前記第二の片との間で挟み込むことを特徴とする請求項１〜請求項４のいずれかに記載のディスク記録装置。
【請求項６】
前記孔は、前記突出片が通過する孔を有することを特徴とする請求項５に記載のディスク記録装置。
【請求項７】
前記第二の部材の回動位置を規制する回動規制手段を備えることを特徴とする請求項１〜請求項６のいずれかに記載のディスク記録装置。
【発明の詳細な説明】
【技術分野】
【０００１】
本発明は、ディスクに対して磁界変調を利用して情報信号を記録するディスク記録装置に関するもので、特にディスク上を摺動して磁場をディスクに印加する磁気ヘッドの支持機構に関するものである。
【背景技術】
【０００２】
現在、記録媒体に情報信号を記録するディスク記録装置として、磁界変調方式がある。この磁界変調方式とは、光磁気記録層を有するディスク（光磁気ディスク）に所定のレーザ光を照射し、その照射部に外部から情報信号に応じて磁場を反転させることにより、光磁気ディスクに記録していくものである。磁界変調方式においては、光ピックアップの対物レンズより照射される光スポット光軸に対し光磁気ディスクを挟んで対向する磁気ヘッドからディスクに磁界を印加して情報を記録する。このような磁界変調方式を用いたディスク記録装置として、ＭＤ（ミニ・ディスク）等が提供されている。このようなディスク記録装置の形態として、携帯可能な大きさにまで小型化されたものも提案されている。この種の携帯可能となされたディスク記録装置にあっては、携帯の利便性を向上させるため、より一層の小型化・薄型化や省電力化が要求されている。ディスクに磁界を印加する磁気ヘッドにおいても、小型化・薄型化や省電力化が当然必要となる。特に近年Ｈｉ−ＭＤ等の新しく磁界変調方式を利用した記録方式が提案され、従来のＭＤより磁界の強さを必要とするディスク記録装置も提案されているため、磁気ヘッドに印加される電流の低電流化や記録時の省電力化がより求められるようになってきている。
【０００３】
図１０は従来の磁気ヘッド４の一形態を左右方向ＸのＸ１側から見て示す断面要部平面図である。なお、図１０の磁気ヘッドは後述する本発明における磁気ヘッドと共通である。
【０００４】
磁気ヘッド４は対物レンズより照射される光スポット光軸に対し光磁気ディスクを挟んで対向して位置するコア４ａと、そのコア４ａの周囲に巻かれたコイル４ｂと、ディスクとの摺動部を有しコア４ａとコイル４ｂとを保持するスライダー４ｃなどにより構成され、コイル４ｂに信号に応じた方向でかつ所定の磁界強度を磁気記録層に与えるために必要な電流を流すことによって、コア４ａから光磁気ディスクに磁界が印加されることとなる。コア４ａは磁場を発生させるためにフェライト等のマグネットによって形成されており、ディスクと直接接触すると、ディスクに傷を与える恐れや、コア４ａ自体が欠損する可能性があるため、スライダー４ｃのディスクとの摺動部から「Ｄ」なる距離を持ってコア４ａはスライダー４ｃに保持される。すなわち記録時にスライダー４ｃとディスクとが接触する場合においては、コア４ａの下端とディスクとの間にＤなる隙間が空くように設定されている。
【０００５】
隙間Ｄが大きければディスクに印加される磁界強度が小さくなり、コア４ａからより大きな磁界を発生させなければならなくなり、より大きな電流をコイル４ｂに流さなければならないこととなり、消費電力の増大やコイル４ｂの発熱等につながる。従って、出来る限りコア４ａとディスクとの隙間Ｄは小さく、かつスライダー４ｃの磨耗などにより、コア４ａとディスクが直接接触しないように適宜にＤを設定することが必要となる。出来る限りコア４ａとディスクとの隙間Ｄを小さくするためにはスライダー４ｃの磨耗を抑える必要があり、磁気ヘッド４をディスクに押圧する荷重は出来る限り小さく、またディスクの面ブレ等により磁気ヘッド４が上下動し、磁気ヘッド４をディスクに押圧する荷重が変動するため、磁気ヘッド４をディスクに押圧するばね定数も小さく設定することが課題となる。
【０００６】
また、ディスクの面ブレや振動等により、磁気ヘッド４と光ピックアップの光軸のずれが生じると、このずれ分を考慮してコア４ａのサイズを大きく設計する必要があり、消費電力の増大につながってしまう。従って、磁気ヘッド４と光ピックアップの光軸のずれはなるべく抑えることが課題となる。
【０００７】
図１１は従来技術のディスク記録装置をディスクの挿入・排出状態でＸ１方向から見た要部平面図、図１２は従来技術のディスク記録装置を記録状態でＸ１方向から見た要部平面図、図１３は従来技術のディスク記録装置を記録状態でＸ１方向から見た要部平面図であり、ディスクの上下動による磁気ヘッドの挙動を示す図である。
【０００８】
従来の磁気ヘッド支持機構を用いたディスク記録装置について以下に説明する。本ディスク記録装置で用いられるディスク１２０は、カートリッジ１２１に収納され、ディスク１２０に記録または再生を行う場合にはシャッターを開き、ディスク１２０が光ピックアップ１０２や磁気ヘッド４に臨むこととなる。光ピックアップ１０２は、対物レンズ１０２ａ、光源、光学系、光検出部を有する。
【０００９】
基台１０１の中央部には、ターンテーブル１０３ａとスピンドルモータを有するディスク回転手段が設けられ、ディスク１２０はターンテーブル１０３ａに装着され、ターンテーブルに一体固定されたスピンモーターによって回転駆動すると共に、光ピックアップ１０２内の半導体レーザによって実現される光源からの光ビームが、光学系によってディスク１２０の情報記録面に照射される。ディスク１２０には、光ビームが対物レンズ１０２ａによって集束された状態で照射される。ディスク１２０によって反射された光ビームは、光ピックアップ１０２内の光学系によって光検出部に導かれる。光検出部による光ビームの検出結果に基づいて、例えば情報が再生される。
【００１０】
磁気ヘッド４は、弾性部１０５ａを有し薄板状のサスペンション１０５の前端に固定され、サスペンション１０５の後端が、光ピックアップ１０２の後端に一体に取り付けられたコの字状のアングル１０６の上面部１０６ａに固定されることにより、光ピックアップ１０２が記録・再生時にディスク１２０の径方向に走査する際に一体的に移動する。アングル１０６は光ピックアップ１０２の後端にねじ止め等により固定される下面部と、カートリッジ１２１上方に位置する上面部１０６ａと、それらを連結するディスク１２０外径端面に対向する後面部によりコの字状に形成されている。磁気ヘッド４は、アングル１０６の上面部１０６ａに後端を固定されたサスペンション１０５の弾性部１０５ａにより、ディスク１２０に適宜の圧力で接触するように設定されている。磁気ヘッド４はディスク１２０に接触した状態で、光ピックアップ１０２の対物レンズ１０２ａから照射される光ビームの光軸にコア４ａのセンターを一致させるように位置調整がされる。
【００１１】
また、図１１のように、ディスク１２０の挿入・排出時には、カートリッジ１２１と磁気ヘッド４とが当接して磁気ヘッド４やサスペンション１０５等の損傷を防ぐために、リフトレバー１０７の回動によってサスペンション１０５を上方に弾性変位させることにより、磁気ヘッド４をカートリッジ１２１上方に退避させる。そして図１２のように、記録時においては、リフトレバー１０７とサスペンション１０５の当接が外れ、磁気ヘッド４が回動して、ディスク１２０に適宜の圧力で接触する。また記録時には、ディスク回転手段によってディスク１２０が所望の回転数で回転し、ディスク１２０に光ビームが対物レンズ１０２ａによって集束された状態で照射され、光軸とディスク１２０を挟んで対向した位置に磁気ヘッド４が位置し、磁界を印加する。この時ディスク１２０自体の持つ面ブレおよびターンテーブル１０３ａの持つ面ブレ成分により、ディスク１２０が上下動する。
【００１２】
例えば図１３のようにディスク１２０がＨ１の幅で上下動する場合、ディスク１２０と接触する磁気ヘッド４はサスペンション１０５の弾性部１０５ａの弾性変位により、軸線Ｓ１０４を中心として回動する。軸線Ｓ１０４は、サスペンション１０５とアングル上面部１０６ａとの取付面近傍に位置し、磁気ヘッド４は軸線Ｓ１０４を中心とした円弧状に回動する。従って、ディスク１２０の上下動量Ｈ１により、磁気ヘッド４は軸線Ｓ１０４を中心とした円弧状に上下動することによってＹ方向にも「Ｔ１」移動することとなり、光ピックアップ１０２の光軸とずれる。
【００１３】
サスペンション１０５およびアングル上面部１０６ａは、ディスク１２０の挿入・排出時および記録・再生時において、カートリッジ１２１との当接を防ぐため、上方に退避しなければいけない。そのため、サスペンション１０５とアングル上面部１０６ａとの取付面近傍に位置する磁気ヘッド４の回動中心Ｓ１０４と、磁気ヘッド４とディスク１２０との摺動面とのＺ方向の距離Ｈ２が大きくなり、ディスク１２０の上下動量Ｈ１による磁気ヘッド４の円弧動作軌跡のＹ方向成分Ｔ１も大きくなることとなる。従って、磁気ヘッド４と光ピックアップ１０２の光軸とのずれ量Ｔ１を見込んで磁気ヘッド４のコア４ａのサイズを大きくする必要がある。磁気ヘッド４のコア４ａのサイズを大きくすると消費電力が増大したり、インダクタンスが大きくなることにより高周波での記録の際に電流を転流する際の応答性が悪くなったりする問題が生じていた。
【００１４】
また、図１１のような、ディスク１２０の挿入・排出時においてディスク１２０が上下動するフロント・ローディングタイプのローディング機構を用いる場合においては、カートリッジ１２１がターンテーブル１０３ａを退避するためにカートリッジ１２１をその分上下動させる必要があり、サスペンション１０５の取付面であるアングル１０６の上面部１０６ａがカートリッジ１２１の上下動分だけ上方に位置することとなるため、磁気ヘッド４回動中心である軸線Ｓ１０４がより上方に位置することとなり、記録時における磁気ヘッド４とディスク１２０との摺動面と軸線Ｓ１０４とのＺ方向の距離Ｈ２がより離間するため、ディスク１２０の上下動による磁気ヘッド４のＹ方向移動量Ｔ１がより大きくなる。
【００１５】
これらの問題を解決するため、例えば特許文献１には、図１４、図１５、図１６、図１７に示す方法が開示されている。
【００１６】
磁気ヘッドをディスクに押圧するばね部である弾性部材１２７をディスクの背面側に配し、磁気ヘッドの回動中心となる軸線と、磁気ヘッドとディスクとの摺動面とのＺ方向距離（図１３でＨ２に相当）を小さくすることにより、ディスクの面ブレによる磁気ヘッドのＹ方向移動量（図１３でＴ１に相当）が小さくなるようにしている。更に、磁気ヘッドのコアセンターと軸線とのＹ方向距離（図１３でＬに相当）が大きくなることにより、磁気ヘッドの回動軌跡円弧（図１３でＲに相当）が大きくなることで、ディスクの面ブレによる磁気ヘッドのＹ方向移動量が小さくなるようにしている。
【００１７】
また、磁気ヘッドをディスクに押圧するばね部（弾性部材１２７）をディスクの背面側に配した場合には、光ピックアップがＸ方向（図１４のＹ軸、Ｚ軸に直角に交差する方向）に移動する時などで磁気ヘッドにＸ方向に力が加わった場合に、ばね部のねじれによって磁気ヘッドがＸ方向に移動し、磁気ヘッドと光ピックアップの光軸とのずれが懸念されるが、その対策として特許文献１では、図１６、図１７（ａ）（ｂ）のような方法が開示されている。
【００１８】
図１６の方法では、標準設定位置からディスクが−Ｘｄ下がった状態で磁気ヘッドがディスクに接触している時のばね部である弾性部材１２７の変位状態にあわせて、磁気ヘッドアーム１２９の先端を曲げ加工等行い、弾性部材１２７の移動拘束を行う。  図１７（ａ）の方法では、弾性部材１２７の両サイドに曲げ加工を行い、弾性部材１２７のねじれ剛性を上げる。図１７（ｂ）の方法では、弾性部材１２７の両サイド近傍に磁気ヘッドアーム１２９から曲げ加工等により側壁を設け、弾性部材１２７のＸ方向の移動規制を行う。
【特許文献１】特開２０００−２６８４３５号公報
【発明の開示】
【発明が解決しようとする課題】
【００１９】
しかしながら、上記特許文献１が示す従来方法では、以下のような問題があった。ここで、磁気ヘッドがディスクを押圧する荷重と、弾性部材１２７のばね定数はなるべく小さくするほうが望ましい。これは、押圧荷重を大きくすることにより、ディスクと磁気ヘッドの摺動負荷が上がりスライダー４ｃ（図１０）が磨耗しやすくなるため、スライダー４ｃの磨耗分を考慮して図１０に示されるコア４ａとディスクとの隙間Ｄを大きめにとる必要があり、結果的にコイル４ｂへの印加電流を増やさねばならず、消費電力が増大するためである。
【００２０】
また、ばね定数を大きくすると、ディスクの上下動による磁気ヘッドがディスクを押圧する荷重の変動が大きくなるため、ディスクが上方に変位した時には押圧荷重が大きくなり、ディスクが下方に変位した時には押圧荷重が小さくなり、磁気ヘッドとディスクとの接触が不安定になるという不具合が生じる可能性がある。またそのため、ディスク面が標準位置での押圧荷重を大きくしなければならないことにもなり、結果的にスライダー４ｃが磨耗しやすくなり、スライダー４ｃの磨耗分を考慮して隙間Ｄを大きめにとる必要があり、コイル４ｂへの印加電流を増やさねばならず、消費電力が増大するためである。また、ディスクが磨耗した場合には、記録品質の低下につながることとなる。
【００２１】
図１６に示される方法では、弾性部材１２７のＹ２側だけを拘束しても、図１８に示すように、弾性部材１２７のばね定数が小さい場合には、振動等の外乱により、弾性部材１２７がＹ１方向に変位してねじれが発生してしまうという問題があった。またディスク面が標準設定位置や標準設定位置から＋Ｘｄ上がった状態では、磁気ヘッドアーム１２９と弾性部材１２７との間に隙間が出てしまうため、弾性部材１２７のねじれが規制出来ず、振動等により磁気ヘッドと光ピックアップの光軸とのずれが生じるという問題があった。
【００２２】
また、磁気ヘッドアーム１２９の先端を曲げ加工等行い弾性部材１２７の移動拘束を行う方法は、磁気ヘッドアーム１２９の曲げ加工部が弾性部材１２７と干渉すると、磁気ヘッドが上方に持ち上がるために磁気ヘッドがディスクを押圧する荷重が低下してしまう。そのため、ディスクへの押圧荷重を安定させるためには、磁気ヘッドアーム１２９の曲げ加工部は大変な精度を要するという問題があった。
【００２３】
また、図１７（ａ）の方法のように弾性部材１２７の両サイドに曲げ加工を行い、弾性部材１２７のねじれ剛性を上げる方法では、弾性部材１２７のばね定数が大きくなってしまい、結果的にスライダー４ｃが磨耗しやすくなるため、スライダー４ｃの磨耗分を考慮して図１０に示されるコア４ａとディスクとの隙間Ｄを大きめにとる必要があり、コイル４ｂへの印加電流を増やさねばならず消費電力が増大する。一方、ばね定数を小さくするように曲げ加工の範囲を狭くしたり、曲げ高さを低くすると、ねじり剛性が下がり、振動等により磁気ヘッドと光ピックアップの光軸とのずれが発生してしまう。
【００２４】
また、図１７（ｂ）の方法のように弾性部材１２７の両サイド近傍に磁気ヘッドアーム１２９から曲げ加工等により側壁を設ける方法では、弾性部材１２７のばね定数を小さくすると、図１８のように弾性部材１２７のねじれの規制が行えず、磁気ヘッドと光ピックアップの光軸とのずれが生じるという問題があった。
【００２５】
つまり従来方法では、磁気ヘッドをディスクに押圧するばね定数の低減と、磁気ヘッドと光ピックアップの光軸とのずれの抑制との両立が困難であり、消費電力を低減することが困難であった。
【００２６】
本発明は上記問題点を鑑みてなされたものであり、簡易な構成で従来よりも消費電力を低減することができるディスク記録装置を提供することを目的とする。
【課題を解決するための手段】
【００２７】
上記目的を達成するため、本発明のディスク記録装置は、対物レンズを有しディスクに前記対物レンズから光ビームを照射する光ピックアップと、前記対物レンズと前記ディスクを挟み略対向し前記ディスクに磁場を与える磁気ヘッドとを備えるディスク記録装置において、
前記光ピックアップと一体化され、前記ディスクの外径端面に対向する第一の片を有する第一の部材と、
前記磁気ヘッドと一体化され、前記ディスクの外径端面に対向する第二の片を有する第二の部材と、
弾性体を有し前記第一の部材と前記第二の部材とを接続する接続手段と、
前記第一の片と前記第二の片とを当接させるように前記第二の部材を押圧する押圧手段とを備え、
前記磁気ヘッドが前記ディスクの記録面の略垂直方向成分を含む方向に変位するように、前記第二の部材は前記第一の部材との当接部分を含む回転軸周りに回動することを特徴とする。
【００２８】
このような構成によれば、磁気ヘッドの回動中心位置と磁気ヘッドがディスクに摺動する面との距離を低減でき、かつ磁気ヘッドの回動軌跡円弧半径を大きく出来るため、ディスクの上下動による磁気ヘッドと光ピックアップの光軸とのずれを低減することが可能になる。また、第二の部材への押圧力により、振動等による第二の部材のねじれによる磁気ヘッドと光ピックアップの光軸とのずれを低減することが可能になる。このずれはディスクの上下動に依らず低減することができる。このように磁気ヘッドと光ピックアップの光軸とのずれが低減するので、磁気ヘッドのコアのサイズを小さくすることができ、消費電力およびインダクタンスの低減が可能となる。
【００２９】
また、第二の部材のねじれを規制する押圧手段とは別に、弾性体を有する第一の部材と第二の部材との接続手段が設けられるので、この接続手段のばね定数を小さく設定することが可能である。これにより、ディスクが標準位置での押圧荷重を下げても磁気ヘッドとディスクの接触状態は安定化でき、磁気ヘッドのスライダーの摩耗を抑えることができるので、コアとディスクとの隙間を小さくでき、消費電力を低減できる。
【００３０】
また、本発明による消費電力の低減により、磁気ヘッドの発熱による損傷も防げる。
【００３１】
また、本発明は簡易な構成であるため、さほど各々の部品に高い精度を必要とせず安定した量産性に寄与することが可能となる。
【００３２】
また、本発明のディスク記録装置は、前記第二の部材の回転軸となる前記第一の部材と前記第二の部材の当接部分は、前記押圧手段が押圧する被押圧部の両サイド部に配置されることが望ましい。
【００３３】
このような構成によれば、第二の部材が、一対の第一の部材と第二の部材との当接部分の間を押圧されることにより、第二の部材のねじれを抑制しようというモーメントが働き、第二の部材のねじれを簡易にかつ安定して抑制することが可能となる。
【００３４】
また、本発明のディスク記録装置は、前記押圧手段が被押圧部に加える押圧力の略作用線上に、前記第二の部材の回転軸が位置するように構成されていることが望ましい。
【００３５】
このような構成によれば、第二の部材への押圧力が第二の部材の回動方向へのモーメントに寄与することを防ぐことになり、第二の部材への押圧力が磁気ヘッドとディスクとの押圧荷重に寄与することを低減出来るため、磁気ヘッドとディスクとの押圧荷重のばね定数の低減や押圧荷重のバラツキを低減することが可能となる。これにより、安定した磁気ヘッドとディスクの接触状態に寄与することが可能となる。
【００３６】
また、本発明のディスク記録装置は、前記第一の部材に対する前記第二の部材の移動を規制する移動規制手段を備えることが望ましい。
【００３７】
このような構成によれば、押圧手段や接続手段の過大な変位を防ぎ、外部からの衝撃による押圧手段および接続手段の変形を防ぐこととなる。また、衝撃等を考慮して必要以上に接続手段の剛性を上げる必要が無くなるため、接続手段のばね定数を低減することが可能となり、磁気ヘッドとディスクとの押圧力のばね定数を低減することが可能となる。これにより、磁気ヘッドのスライダーの摩耗を抑えることができるので、コアとディスクとの隙間を小さくでき、消費電力を低減できる。
【００３８】
具体的には、前記第二の部材は、前記第二の片から前記ディスク側に突出し、前記押圧手段が押圧する被押圧部を有する第三の片と、該第三の片から突出する突出片とを有し、前記第一の部材は、前記第三の片が遊嵌される孔を前記第一の片に有し、前記突出片は、前記第一の片を前記第二の片との間で挟み込むような構成であればよい。
【００３９】
このような構成によれば、押圧手段および接続手段の過大な変位を防ぎ、外部からの衝撃による押圧手段および接続手段の変形を防ぐこととなる。また、衝撃等を考慮して必要以上に接続手段の剛性を上げる必要が無くなるため、接続手段のばね定数を低減することが可能となり、磁気ヘッドとディスクとの押圧力のばね定数を低減することが可能となる。これにより、磁気ヘッドのスライダーの摩耗を抑えることができるので、コアとディスクとの隙間を小さくでき、消費電力を低減できる。
【００４０】
また、前記孔は、前記突出片が通過する孔を有する構成が望ましい。
【００４１】
このような構成によれば、第一の部材に対する第二の部材の移動規制を損なうことなく、第二の部材を第一の部材に組み込む際の作業が簡便化し、組立て作業において部品の変形を防ぐことが可能となる。
【００４２】
また、本発明のディスク記録装置は、前記第二の部材の回動位置を規制する回動規制手段を備える構成が望ましい。
【００４３】
このような構成によれば、接続手段の過大な変位を防ぎ、外部からの衝撃による接続手段の変形を防ぐこととなる。また、衝撃等を考慮して必要以上に接続手段の剛性を上げる必要が無くなるため、接続手段のばね定数を低減することが可能となり、磁気ヘッドとディスクとの押圧力のばね定数を低減することが可能となる。これにより、磁気ヘッドのスライダーの摩耗を抑えることができるので、コアとディスクとの隙間を小さくでき、消費電力を低減できる。
【発明の効果】
【００４４】
本発明のディスク記録装置により、簡易な構成で従来よりも消費電力を低減することができる。
【発明を実施するための最良の形態】
【００４５】
以下、本発明の実施形態の一例を、図面に基づいて説明する。なお、各図および以下実施例において、装置本体上面から見て左右方向をＸ方向とし、右側方向をＸ１、左側方向をＸ２とする。装置本体の前後方向をＹ方向とし、後側方向をＹ１、前側方向をＹ２とする。装置本体の上下方向をＺ方向とし、上側方向をＺ１、下側方向をＺ２とする。左右方向Ｘ、前後方向Ｙ、上下方向Ｚの各方向はそれぞれの方向に対して垂直である。また、装置本体を右側方向Ｘ１側から見て時計方向をＡ１、反時計方向をＡ２とし、装置本体を上側方向Ｚ１側から見て時計方向をＢ１、反時計方向をＢ２とする。
【００４６】
図１は、本発明の実施の一形態であるディスク記録装置３０を右前上側から見た斜視図である。図２は、本発明の実施の一形態であるディスク記録装置３０を上側方向Ｚ１側から見た平面図である。図１０は本発明の実施の一形態である磁気ヘッド４をＸ１側から見た断面要部平面図である。ディスク記録装置３０は、記録媒体に対して、情報を記録し、または情報を再生するための装置である。
【００４７】
記録媒体は、音楽などの各種の情報が記録される媒体である。記録媒体として、例えば円盤状の光磁気ディスクが用いられる。以下、光磁気ディスクを「ディスク」と表記する。ディスクはカートリッジに収納され、ディスクの記録または再生を行う場合には図示しないシャッターを開き、ディスクを後述の光ピックアップ２や磁気ヘッド４に臨ませる。ディスク記録装置３０は、基台１、光ピックアップ２、ディスク回転手段３、磁気ヘッド４および磁気ヘッド支持機構２０を含んで構成される。基台１、光ピックアップ２、ディスク回転手段３、磁気ヘッド４および磁気ヘッド支持機構２０等の各手段は、図示しない筐体に収容される。本発明は磁気ヘッド支持機構２０に特徴を有するものであり、詳細は後述する。
【００４８】
基台１には、情報の記録および再生をするために、不図示のディスクが装着される。基台１は、基台基部１ａを有する。基台基部１ａは、基台１に装着されるディスクの情報記録面が対向され、大略的に、予め定める上下方向Ｚに垂直な一仮想平面に沿って配置される平面形状である。基台基部１ａには、基台開口部１ｄが形成される。基台開口部１ｄは、左右方向Ｘおよび前後方向Ｙに沿った周縁部を有し、基台基部１ａを貫通する。基台開口部１ｄは、例えばディスク回転手段３の配設位置と、光ピックアップ２のスライド変位の範囲とを考慮して形成される。基台基部１ａには、複数、本実施形態では２つのガイドピン１ｅ、１ｆが形成される。各ガイドピン１ｅ、１ｆは、基台基部１ａから上側方向Ｚ１側に突出するとともに、前後方向Ｙに基台開口部１ｄを挟むようにして配置される。
【００４９】
基台開口部１ｄには、ガイドレール１ｇが設けられる。ガイドレール１ｇは、左右方向Ｘに延びて配置され、光ピックアップ２を左右方向Ｘに案内する。ガイドレール１ｇは、基台開口部１ｄの前後方向ＹのＹ２端部寄りに配置され、基台基部１ａに設けられる。
【００５０】
基台基部１ａの後端付近には一対のＸ２方向への円筒状の突起１ｂ、１ｃが形成されている。円筒状の突起１ｂおよび１ｃにはリフトレバー９の穴が嵌合され、リフトレバー９がＡ１−Ａ２方向に回動可能に支持されている。
【００５１】
ディスク回転手段３は、基台開口部１ｄに設けられ、基台１に装着される不図示のディスクを、上下方向Ｚに略平行な軸線Ｓ３まわりに回転駆動する。ディスク回転手段３は、ターンテーブル３ａおよびスピンドルモータ３ｂを有する。ターンテーブル３ａは、基台基部１ａの略中央部に配置され、基台１に装着される不図示のディスクに嵌合され、ターンテーブル３ａに装着されたマグネットによってディスクに装着された金属製の板体をターンテーブル３ａ側に吸引することにより、ディスクを保持する。情報の記録及び再生時において、スピンドルモータ３ｂはターンテーブル３ａを回転することによって、ディスクを軸線Ｓ３まわりに回転駆動する。ディスク回転手段３は、ターンテーブル３ａが基台基部１ａから上側方向Ｚ１側に部分的に突出される状態で、例えば、ねじ等の取付け片によって基台１に固定される。
【００５２】
光ピックアップ２は、ディスクの情報記録領域を走査可能とするため、スクリュー１０とガイドレール１ｇにより、ディスクの記録面に平行で、ディスクの径方向である左右方向Ｘにスライド変位可能に基台１に支持される。情報記録領域は、ディスクにおいて情報を再生および記録可能な領域である。
【００５３】
光ピックアップ２は、対物レンズ２ａ、図示しない光源、光学系、光検出部および２軸アクチュエータを有する。光ピックアップ２からは、例えば半導体レーザによって実現される光源からの光ビームが、光学系によって不図示のディスクの情報記録面に照射される。ディスクには、光ビームが対物レンズ２ａによって集束された状態で照射される。ディスクによって反射された光ビームは、光学系によって光検出部に導かれる。光検出部による光ビームの検出結果に基づいて、例えば情報が再生される。
【００５４】
対物レンズ２ａは、２軸アクチュエータによって、光軸に略平行なフォーカシング方向と、光軸に略垂直なトラッキング方向とに変位駆動される。対物レンズ２ａは、フォーカシング方向に変位駆動されてディスクに近接および離反する方向に変位し、トラッキング方向に変位駆動されてディスクの情報記録面に沿って変位する。本実施の形態では、フォーカシング方向は上下方向Ｚに略平行であり、トラッキング方向は左右方向Ｘに略平行である。
【００５５】
磁気ヘッド支持機構２０は光ピックアップ２の後側に連結され、磁気ヘッド支持機構２０が有するヘッドアーム５の先端には磁気ヘッド４が固定されている。これにより、光ピックアップ２と磁気ヘッド４は左右方向Ｘに一体で変位する。
【００５６】
磁気ヘッド４は、ディスクに情報を記録するときディスクに当接され、記録すべき情報に応じて変調される磁界を、ディスクに与える。磁気ヘッド４は、ディスクに対して基台１と反対側に配置され、ディスクに臨んで設けられ、ディスクに情報を記録するとき、ディスクが間に介在する状態で、対物レンズ２ａと対向する位置に配置される。磁気ヘッド４は対物レンズ２ａより照射される光スポット光軸に対しディスクを挟んで対向して位置するコア４ａと、そのコア４ａの周囲に巻かれたコイル４ｂと、ディスクとの摺動部を有しコア４ａとコイル４ｂを保持するスライダー４ｃとを含んで構成されている。
【００５７】
以下に、本発明の実施の一形態である磁気ヘッド支持機構２０について詳細に説明する。
【００５８】
図３は、本発明の実施の一形態である磁気ヘッド支持機構２０の右前上側からの（ａ）分解斜視図  と（ｂ）完成斜視図である。図４は、本発明の実施の一形態である磁気ヘッド支持機構２０の結合状態を（ａ）Ｘ１側、（ｂ）Ｙ１側、（ｃ）Ｚ１側  からそれぞれ見て示す平面図である。図５は、磁気ヘッド支持機構２０を構成するヘッドアングル６を（ａ）Ｘ１側、（ｂ）Ｙ１側、（ｃ）Ｚ２側  からそれぞれ見て示す平面図である。図６は、磁気ヘッド支持機構２０を構成するピック連結アングル８を（ａ）Ｘ１側、（ｂ）Ｙ１側、（ｃ）Ｚ２側  からそれぞれ見て示す平面図である。
【００５９】
以下に、磁気ヘッド支持機構２０を構成する各部品について説明する。
【００６０】
ヘッドアーム５はＹ方向に伸びた薄板形状であり、軽量化を考慮して板厚が薄くても剛性が得られるように両サイドに曲げ形状が施してある。ヘッドアーム５の先端部に磁気ヘッド４が固定される。
【００６１】
ヘッドアングル６は薄板状ではあるが剛性のある部材であり、ディスク記録装置に組付け状態にてディスクの外径端面と対向する連結面６ｂと、連結面６ｂの上部にあり連結面６ｂと略直角にＹ２方向へ突出するように曲げられ先端に幅広面６ａ１を有するＴ字状の平面を有するＴ字状平面６ａと、連結面６ｂの下端中央付近からＹ２方向に連結面６ｂと略直角に曲げ加工された位置規制片６ｅとにより構成されている。連結面６ｂの下部で位置規制片６ｅの両サイドには係合片６ｃ、６ｄが下方Ｚ２方向・外側Ｘ方向へと突出するように形成され、係合片６ｃと６ｄの下端は同一高さになるように形成されている。位置規制片６ｅは係合片６ｃ、６ｄの略中央部に形成され、位置規制片６ｅの中央部にはＺ１方向への凸部６ｆを有し、凸部６ｆ中央部にはＹ１方向への突起部６ｇが形成されている。位置規制片６ｅの両サイドには突出片６ｈが形成されている。ここで、係合片６ｃ、６ｄの下端と凸部６ｆ上端すなわち突起部６ｇの上端は同一高さになるように形成され、かつ係合片６ｃ、６ｄのＹ２側の面と、突起部６ｇのＹ１側端面はＹ方向で同一位置になるように形成されている。すなわち係合片６ｃと６ｄのＹ２側面下端を結ぶ線上の略中央部に、突起部６ｇのＹ１側面上端が位置することとなる。
【００６２】
ピック連結アングル８は略Ｌ字状の薄板状ではあるが剛性のある部材であり、ディスクの情報記録面と略並行で光ピックアップ２の後方一部に連結される平面状のピック取付面８ａと、ディスク記録装置に組付け状態にてディスクの外径端面と対向する第１片部８ｂとによって構成される。第１片部８ｂは下方の略長方形状のヒンジ取付面８ｃと、ヒンジ取付面８ｃと平行でＹ２方向に僅かに突出した係合面８ｄにより構成されている。係合面８ｄの上部には両サイドが上方への突起部を有する凹字溝８ｅが形成され、下方中央部には上方が幅広部８ｆ１で下方が幅広部８ｆ１より若干幅の狭い幅狭部８ｆ２である２種類の幅を有する段付角孔８ｆが形成されている。段付角孔８ｆの幅広部８ｆ１はヘッドアングル６の位置規制片６ｅの突出片６ｈの幅よりも幅広く形成され、幅狭部８ｆ２は位置規制片６ｅの突出片６ｈの幅よりも狭く、位置規制片６ｅの突出片６ｈがない幅狭部よりは若干幅広く形成されており、幅狭部８ｆ２の下端面にはＺ１方向に僅かに突出している突起部８ｆ３が形成されている。
【００６３】
ヒンジ７は弾性を有する薄板形状である。ヒンジ７の長方形状の上方部７ａと下方部７ｂの両サイドには剛性を上げるために曲げ加工が施してある。中央部には上方部７ａと下方部７ｂとを連結する部材であり、両サイドに適宜の幅を有する第１弾性部材７ｃ、７ｄが形成されている。第１弾性部材７ｃ、７ｄは、ディスクへ適宜の押圧力で磁気ヘッド４を当接させ、かつディスクの面ブレによる磁気ヘッド４のディスクへの押圧力の変動が極力少なくなるように、かつディスクの挿排出時に磁気ヘッド４を退避させる際のたわみにも応力的に耐えうるように幅・厚み等の形状が適宜に設定されている。第１弾性部材７ｃ、７ｄの間には第２弾性部材７ｅが下方部７ｂからＺ１方向に突出して形成され、第２弾性部材７ｅにはＹ２方向への曲げ加工が施されている。
【００６４】
磁気ヘッド支持機構２０は上記のヘッドアーム５、ヘッドアングル６、ヒンジ７、ピック連結アングル８から構成される。以下に磁気ヘッド支持機構２０を構成する各部品の結合関係について詳細に説明する。
【００６５】
ヘッドアーム５の前後方向ＹのＹ２側端部付近に磁気ヘッド４が接着剤等により固定される。ヘッドアーム５は前後方向ＹのＹ１側端部付近をヘッドアングル６のＴ字状平面６ａの幅広面６ａ１にスポット溶接等により固定される。
【００６６】
ヘッドアングル６はピック連結アングル８に対して下記のように組み立てられる。ヘッドアングル６の位置規制片６ｅおよび突出片６ｈをピック連結アングル８の段付角孔８ｆの幅広部８ｆ１へＹ１側から挿入し、同時にヘッドアングル６のＴ字状平面６ａの幅狭部をピック連結アングル８の凹字溝部８ｅに遊嵌させて、この状態からピック連結アングル８に対してヘッドアングル６をＺ２方向に移動させて位置規制片６ｅを幅広部８ｆ１から幅狭部８ｆ２へと移動させることにより、ヘッドアングル６の位置規制片６ｅとピック連結アングル８の幅狭部８ｆ２との遊嵌状態によるＸ方向への規制、および２つの突出片６ｈと連結面６ｂとによりピック連結アングル８の係合面８ｄを隙間を持って挟み込むことによるＹ方向の規制とＢ１−Ｂ２方向の規制がヘッドアングル６の下端付近でなされる。また、ヘッドアングル６のＴ字状平面６ａの幅狭部とピック連結アングル８の凹字溝部８ｅとの遊嵌によって、ピック連結アングル８に対するヘッドアングル６の上部でのＸ方向の規制がなされる。また、ヘッドアングル６のＴ字状平面６ａの幅広面６ａ１のＹ１側端面６ａ２がピック連結アングル８の係合面８ｄに当接することと、ヘッドアングル６の連結面６ｂとピック連結アングル８の係合面８ｄとの当接により、Ａ１−Ａ２方向に一定の回転量以上ヘッドアングル６が回動しないように移動規制がなされる。
【００６７】
この状態で、ヘッドアングル６の連結面６ｂとヒンジ７の上方部７ａ、およびピック連結アングル８のヒンジ取付面８ｃとヒンジ７の下方部７ｂとが、それぞれスポット溶接等により接合・固定される。ヒンジ７を介してヘッドアングル６とピック連結アングル８が接合されることにより、ピック連結アングル８に対してヘッドアングル６のＺ方向の移動規制がなされ、ヘッドアングル６の位置規制片６ｅとピック連結アングル８の突起部８ｆ３により、ヘッドアングル６のＺ２方向への移動規制がなされる。ヘッドアングル６は、ピック連結アングル８に対して、ヘッドアングル６の突出片６ｈおよび位置規制片６ｅとピック連結アングル８の幅狭部８ｆ２とが遊嵌された状態、およびヘッドアングル６のＴ字状平面６ａの幅狭部とピック連結アングル８の凹字溝部８ｅとが遊嵌された状態で、ヒンジ７の第１弾性部材７ｃ、７ｄを介して支持された状態になる。この状態で、ヒンジ７の第２弾性部材７ｅがヘッドアングル６の位置規制片６ｅの突起部６ｇをＹ２方向に押圧して、ヘッドアングル６下方部すなわち係合部６ｃ、６ｄのＹ２側下端をピック連結アングル８の係合面８ｄに当接させる。係合部６ｃ、６ｄと係合面８ｄの当接部分を含む回転軸周りに、ヘッドアングル６は第１弾性部材７ｃ、７ｄの弾性変位によるばね力によりＡ１−Ａ２方向に回動する。
【００６８】
以上の結合関係によって、ヘッドアーム５を介してヘッドアングル６に固定された磁気ヘッド４は、ピック連結アングル８に対してヒンジ７の第１弾性部材７ｃ、７ｄを介して支持された状態になり、ヘッドアングル６の回動により磁気ヘッド４は上下Ｚ方向成分および前後Ｙ方向成分を含む方向に変位可能となる。
【００６９】
次に、上記の磁気ヘッド支持機構２０をディスク記録装置に組み込んだ場合の動作について説明する。磁気ヘッド支持機構２０をディスク記録装置に組み込む際、ディスクと磁気ヘッド４が当接状態にて光ピックアップ２の光軸と磁気ヘッド４のコア４ａのセンター位置とを合わせて、光ピックアップ２にピック連結アングル８のピック取付面８ａをねじ等で固定する。
【００７０】
図７は、本発明の実施の一形態であるディスク記録装置３０であり、ディスクの挿入・排出状態で左右方向ＸのＸ１側から見て示す要部平面図、図８は本発明の実施の一形態であるディスク記録装置３０であり、記録状態で左右方向ＸのＸ１側から見て示す要部平面図である。また、図９は、（ａ）記録状態、（ｂ）ディスクの挿入・排出時での磁気ヘッド支持機構２０をＸ１側から見て示す要部拡大平面図である。
【００７１】
ディスクを挿入・排出する状態においては、リフトレバー９がヘッドアーム５を上部に移動させ、ヒンジ７の第１弾性部材７ｃ、７ｄが弾性変位し、ヘッドアングル６が係合片６ｃ、６ｄとピック連結アングル８の係合面８ｄとの当接部を回転軸としてＡ１方向に回動し、磁気ヘッド４およびヘッドアーム５を回動させて、磁気ヘッド４、ヘッドアーム５をカートリッジ４３から退避させる（図７）。ヘッドアングル６のＴ字状平面６ａの幅広面６ａ１のＹ１側端面６ａ２の位置は、後述するディスク記録状態からディスク挿入・排出状態に亘ってヘッドアングル６が回動する際に支障にならないように、かつヘッドアングル６の回動量が必要以上に大きくならないように、ディスク挿入・排出状態の回動量を僅かに過ぎた位置で、ヘッドアングル６の回動が規制されるように適宜に設定されている。
【００７２】
記録時においては、リフトレバー９が図示しないモーター等の駆動源によりＡ２方向に回動し、ヘッドアーム５との当接が解除され、ヒンジ７の第１弾性部材７ｃ、７ｄの付勢力により、ヘッドアングル６・ヘッドアーム５・磁気ヘッド４が一体的にＡ２方向へ回動し、磁気ヘッド４がディスク４１と当接する（図８）。磁気ヘッド４は、ヒンジ７の第１弾性部材７ｃ、７ｄの付勢力によりディスク４１に所定の押圧力で当接する。記録時においてはディスク回転手段３によってディスク４１が所望の回転数で回転し、ディスク４１に光ビームが対物レンズ２ａによって集束された状態で照射され、光軸とディスク４１を挟んで対向した位置に磁気ヘッド４が位置し、磁界を印加する。
【００７３】
この時、ディスク４１自体の持つ面ブレおよびターンテーブル３ａの持つ面ブレ成分により、ディスク４１が上下動する。例えば図８のようにディスク４１がＨ１の幅で上下動する場合、ディスク４１と接触する磁気ヘッド４はヒンジ７の第１弾性部材７ｃ、７ｄの弾性変位により、軸線Ｓ４を中心として回動する。軸線Ｓ４の位置は、ヘッドアングル６の係合片６ｃ、６ｄとピック連結アングル８の係合面８ｄとの当接部近傍であり、磁気ヘッド４とディスク４１との摺動面とは、高さ方向であるＺ方向でＨ２１の距離に位置し、磁気ヘッド４は軸線Ｓ４を中心とした円弧状に回動する。軸線Ｓ４の位置はカートリッジ４３の後ろに配置されるため、磁気ヘッドの回動軸線Ｓ４と磁気ヘッドとディスクとの摺動面との高さＨ２１を小さくでき、かつ磁気ヘッド４の回動軌跡円弧半径Ｒを大きく出来るため、ディスク４１の上下動量Ｈ１による磁気ヘッド４の軸線Ｓ４を中心とした円弧動作軌跡のＹ方向成分Ｔ１１を極力抑えることが可能となり、光ピックアップ２の光軸と磁気ヘッド４とのずれを低減することが可能となる。これにより、磁気ヘッドのコア４ａのサイズを小さくでき、消費電力を低減できる。
【００７４】
ヘッドアングル６は、下端の位置規制片６ｅの突起部６ｇをヒンジ７の第２弾性部材７ｅによりＹ２方向に付勢され、係合片６ｃ、６ｄの下端がピック連結アングル８の係合面８ｄのＹ１側の面に当接される。ヒンジ７の第２弾性部材７ｅの押圧力Ｆにより、ヘッドアングル６の係合片６ｃと位置規制片６ｅの突起部６ｇとの距離Ｌ１（図５（ｂ））によるモーメントＦ×Ｌ１、およびヘッドアングル６の係合片６ｄと位置規制片６ｅの突起部６ｇとの距離Ｌ２（図５（ｂ））によるモーメントＦ×Ｌ２がヘッドアングル６に付加されることとなる。これにより、ヘッドアングル６の係合片６ｃ、６ｄとピック連結アングル８の係合面８ｄとの当接を保持し、外乱や振動によるヘッドアングル６のねじれを防ごうとするモーメントが働くこととなり、ヘッドアングル６のねじれによる磁気ヘッド４と光ピックアップ２の光軸とのずれを防ぐことが可能となる。このモーメントはディスク４１の上下動に依らず働くので、ディスク４１の上下動に依らずずれを防ぐことができる。これにより、磁気ヘッド４のコア４ａのサイズを小さくでき、消費電力を低減できる。
【００７５】
また、ヘッドアングル６のねじれを規制するヒンジ７の第２弾性部材７ｅとは別に第１弾性部材７ｃ、７ｄが設けられるので、第１弾性部材７ｃ、７ｄのばね定数を小さく設定することが可能である。これにより、ディスク４１が標準位置での押圧荷重を下げても磁気ヘッド４とディスク４１の接触状態は安定化でき、磁気ヘッド４のスライダー４ｃの摩耗を抑えることができるので、コア４ａとディスク４１との隙間Ｄ（図１０）を小さくでき、消費電力を低減できる。
【００７６】
また、アングル６の係合片６ｃ、６ｄの下端と位置規制片６ｅの突起部６ｇの上端は同一高さになるように形成されているので、第２弾性部材７ｅの押圧力の略作用線上にヘッドアングル６の回転軸が存在することとなり、第２弾性部材７ｅの押圧力によるヘッドアングル６のＡ１−Ａ２方向へのモーメントは働かないこととなる。第２弾性部材７ｅの押圧力によるヘッドアングル６のＡ１−Ａ２方向へのモーメントが働かないことで、第２弾性部材７ｅの押圧力がヘッドアングル６の回動方向へのモーメントに寄与することを防ぐことになり、第２弾性部材７ｅの押圧力が磁気ヘッド４とディスク４１との押圧荷重に寄与することを低減出来るため、磁気ヘッド４とディスク４１との押圧荷重のばね定数の低減や押圧荷重のバラツキを低減することが可能となる。これにより、安定した磁気ヘッド４とディスク４１の接触状態に寄与することが可能となる。
【００７７】
また、磁気ヘッド支持機構２０において、ヘッドアングル６の位置規制片６ｅとピック連結アングル８の幅狭部８ｆ２とが適宜の隙間を持ってヘッドアングル６の下端付近のＸ方向への移動を規制し、ヘッドアングル６の２つの突出片６ｈと連結面６ｂがそれぞれピック連結アングル８の係合面８ｄを板厚方向で適宜の隙間を持ってヘッドアングル６の下端付近のＹ方向およびＢ１−Ｂ２方向への移動を規制し、かつヘッドアングル６の位置規制片６ｅの下面とピック連結アングル８の段付角孔８ｆの突起部８ｆ３が適宜の隙間を持ってヘッドアングル６のＺ２方向への移動を規制することとなる。また、ヘッドアングル６のＴ字状平面６ａの幅狭部とピック連結アングル８の凹字溝部８ｅとは適宜の隙間を持っており、ヘッドアングル６の上部でのＸ方向への移動を規制すると共に、ヘッドアングル６のＴ字状平面６ａの幅広面６ａ１のＹ１側端面６ａ２がピック連結アングル８の係合面８ｄに当接することと、ヘッドアングル６の連結面６ｂとピック連結アングル８の係合面８ｄとの当接により、ヘッドアングル６がＡ１−Ａ２方向で所定の回動量以上に回動しないように規制される。
【００７８】
以上のピック連結アングル８に対するヘッドアングル６の移動規制によって、ヒンジ７の第１弾性部材７ｃ、７ｄおよび第２弾性部材７ｅの過大な変位を防ぎ、外部からの衝撃によるヒンジ７の第１弾性部材７ｃ、７ｄおよび第２弾性部材７ｅの変形を防ぐこととなる。また、上記の移動規制により、衝撃等を考慮して必要以上に第１弾性部材７ｃ、７ｄの剛性を上げる必要が無くなるため、第１弾性部材７ｃ、７ｄのばね定数を低減することが可能となり、磁気ヘッド４とディスク４１との押圧力のばね定数を低減することが可能となる。これにより、磁気ヘッド４のスライダー４ｃの摩耗を抑えることができるので、コア４ａとディスク４１との隙間Ｄ（図１０）を小さくでき、消費電力を低減できる。
【図面の簡単な説明】
【００７９】
【図１】は、本発明の実施の一形態であるディスク記録装置３０を右前上側から見た斜視図である。
【図２】は、本発明の実施の一形態であるディスク記録装置３０を上側方向Ｚ１側から見た平面図である。
【図３】は、本発明の実施の一形態である磁気ヘッド支持機構２０の右前上側からの（ａ）分解斜視図  と（ｂ）完成斜視図である。
【図４】は、本発明の実施の一形態である磁気ヘッド支持機構２０の結合状態を（ａ）Ｘ１側、（ｂ）Ｙ１側、（ｃ）Ｚ１側  からそれぞれ見て示す平面図である。
【図５】は、磁気ヘッド支持機構２０を構成するヘッドアングル６を（ａ）Ｘ１側、（ｂ）Ｙ１側、（ｃ）Ｚ２側  からそれぞれ見て示す平面図である。
【図６】は、磁気ヘッド支持機構２０を構成するピック連結アングル８を（ａ）Ｘ１側、（ｂ）Ｙ１側、（ｃ）Ｚ２側  からそれぞれ見て示す平面図である。
【図７】は、本発明の実施の一形態であるディスク記録装置３０をディスクの挿入・排出状態でＸ１側から見て示す要部平面図である。
【図８】は、本発明の実施の一形態であるディスク記録装置３０を記録状態でＸ１側から見て示す要部平面図である。
【図９】は、（ａ）記録状態、（ｂ）ディスクの挿入・排出時での磁気ヘッド支持機構２０をＸ１側から見て示す要部拡大平面図である。
【図１０】は、磁気ヘッド４の一形態をＸ１側から見て示す断面要部平面図である。
【図１１】は、従来技術のディスク記録装置をディスクの挿入・排出状態でＸ１方向から見た要部平面図である。
【図１２】は、従来技術のディスク記録装置を記録状態でＸ１方向から見た要部平面図である。
【図１３】は、従来技術のディスク記録装置を記録状態でＸ１方向から見た要部平面図であり、ディスクの上下動による磁気ヘッドの挙動を示す図である。
【図１４】は、従来技術のディスク記録装置をＸ２方向から見た要部平面図である。
【図１５】は、従来技術のディスク記録装置をＸ２方向から見た要部平面図であり、ディスクの上下動による状態を示す図である。
【図１６】は、従来技術の磁気ヘッド支持機構の要部拡大図である。
【図１７】は、従来技術の磁気ヘッド支持機構の要部拡大図である。
【図１８】は、従来技術の磁気ヘッド支持機構の弾性部材のねじれを示す図である。
【符号の説明】
【００８０】
１    基台
２    光ピックアップ
３    ディスク回転手段
４    磁気ヘッド
５    ヘッドアーム
６    ヘッドアングル
７    ヒンジ
８    ピック連結アングル
９    リフトレバー
１０    スクリュー
２０    磁気ヘッド支持機構
３０    ディスク記録装置
４１    ディスク
４３    カートリッジ
１２７    弾性部材
１２９    磁気ヘッドアーム
１３２    接合面
１３３    弾性部材押さえバネ
１５１    磁気ヘッドアーム光ピックアップ取付面
【図１】
2006221716.tif 000003
【図２】
2006221716.tif 000004
【図３】
2006221716.tif 000005
【図４】
2006221716.tif 000006
【図５】
2006221716.tif 000007
【図６】
2006221716.tif 000008
【図７】
2006221716.tif 000009
【図８】
2006221716.tif 000010
【図９】
2006221716.tif 000011
【図１０】
2006221716.tif 000012
【図１１】
2006221716.tif 000013
【図１２】
2006221716.tif 000014
【図１３】
2006221716.tif 000015
【図１４】
2006221716.tif 000016
【図１５】
2006221716.tif 000017
【図１６】
2006221716.tif 000018
【図１７】
2006221716.tif 000019
【図１８】
2006221716.tif 000020